(57)【要約】【課題】  貸出物の貸出／返却業務において、貸出物に設けられたＲＦタグに記憶されている識別情報の読み取りが成功したか否かを、係員に特段の負担をかけることなく行えるようにする。【解決手段】  載置面上に載置された書籍等の貸出物が有するＲＦタグに対してＲＦタグリーダライタによって読み取り動作を実行し（ステップＳ３）、ＲＦタグから正常に識別情報を読み取った貸出物の重量を各貸出物の重量を予め記憶している記憶部から読み出してそれらの合計を求め（ステップＳ４）、求めた貸出物の合計重量と秤装置が実際に測定した貸出物の合計重量とに基づいて、載置面上の貸出物に対する識別情報の読み取りの成否を判定し（ステップＳ５）、判定結果を報知する（ステップＳ７,Ｓ９）。【選択図】    図６
2006027748.tif 000002
【特許請求の範囲】
【請求項１】
載置面に載置された貸出物の重量を測定する秤装置と、
前記載置面上の前記貸出物に設けられたＲＦタグに記憶された当該貸出物の識別情報を読み取る無線通信装置と、
この無線通信装置によって前記識別情報が読み取られた前記貸出物の重量を各貸出物の重量を予め記憶している記憶部から読み出して、前記貸出物の合計重量を求める重量求め手段と、
この重量求め手段が求めた前記貸出物の合計重量と前記秤装置が測定した前記貸出物の合計重量とに基づいて、前記載置面に載置されている前記貸出物に対する前記識別情報の読み取りの成否を判定する判定手段と、
この判定手段の判定結果を報知する報知手段と、
を備える貸出物管理装置。
【請求項２】
載置面に載置された貸出物の重量を測定する秤装置と、
前記載置面上の前記貸出物に設けられたＲＦタグに記憶された当該貸出物の識別情報と当該貸出物の重量とを読み取る無線通信装置と、
この無線通信装置によって読み取られた重量の合計を求める重量求め手段と、
この重量求め手段が求めた前記貸出物の合計重量と前記秤装置が測定した前記貸出物の合計重量とに基づいて、前記載置面に載置されている前記貸出物に対する前記識別情報の読み取りの成否を判定する判定手段と、
この判定手段の判定結果を報知する報知手段と、
を備える貸出物管理装置。
【請求項３】
前記判定手段は、前記重量求め手段が求めた前記貸出物の合計重量と前記秤装置が測定した前記貸出物の合計重量との差が規定値を超えた場合、前記識別情報の読み取りに失敗した前記貸出物があると判定する、請求項１又は２記載の貸出物管理装置。
【請求項４】
載置面に載置された貸出物の重量を測定する秤装置と、
前記載置面上の前記貸出物に設けられたＲＦタグに記憶された当該貸出物の識別情報を読み取る無線通信装置と、
この無線通信装置によって前記識別情報が読み取られた前記貸出物の厚さを各貸出物の厚さを予め記憶している記憶部から読み出して、前記貸出物の合計厚さを求める厚さ求め手段と、
この厚さ求め手段が求めた前記貸出物の合計厚さと前記厚さ測定装置が測定した前記貸出物の合計厚さとに基づいて、前記載置面に載置されている前記貸出物に対する前記識別情報の読み取りの成否を判定する判定手段と、
この判定手段の判定結果を報知する報知手段と、
を備える貸出物管理装置。
【請求項５】
載置面に載置された貸出物の厚さを測定する厚さ測定装置と、
前記載置面上の前記貸出物に設けられたＲＦタグに記憶された当該貸出物の識別情報と当該貸出物の厚さとを読み取る無線通信装置と、
この無線通信装置によって読み取られた厚さの合計を求める厚さ求め手段と、
この厚さ求め手段が求めた前記貸出物の合計厚さと前記厚さ測定装置が測定した前記貸出物の合計厚さとに基づいて、前記載置面に載置されている前記貸出物に対する前記識別情報の読み取りの成否を判定する判定手段と、
この判定手段の判定結果を報知する報知手段と、
を備える貸出物管理装置。
【請求項６】
前記判定手段は、前記厚さ求め手段が求めた前記貸出物の合計厚さと前記厚さ測定装置が測定した前記貸出物の合計厚さとの差が規定値を超えた場合、前記識別情報の読み取りに失敗した前記貸出物があると判定する、請求項４又は５記載の貸出物管理装置。
【発明の詳細な説明】
【技術分野】
【０００１】
本発明は、図書館等で使用される貸出物管理装置に関する。
【背景技術】
【０００２】
従来、図書館やレンタルビデオ店等に対してＲＦＩＤ（Radio Frequency Identification）の技術を用いて書籍やビデオなどの貸出物の貸出／返却業務を行う技術が提案されている。即ち、貸出物を識別する識別情報が記憶されたＲＦタグを各貸出物に取り付け、貸出／返却カウンタにＲＦタグリーダライタ付きの貸出物管理装置を設置する。ＲＦタグリーダライタのアンテナは、例えばカウンタ上に埋設されている。そして、貸出物の貸出／返却にあたって、アンテナの上に貸出物が載置されると、ＲＦタグリーダライタによって貸出物に取り付けられた貸出物の識別情報が読み取られ、読み取られた識別情報に対応する貸出物の貸出処理や返却処理が貸出物管理装置によって実行される。
【０００３】
このようにＲＦＩＤを使用することによって、ＲＦタグリーダライタのアンテナ上に複数の貸出物を載置することにより識別情報の読み取りがまとめて行なわれるので、例えば各貸出物に対してスキャニング操作を行わなければならないバーコードシステムに比べて、操作者の手間が軽減される。
【０００４】
【特許文献１】特開２００３−２１６７４４公報
【特許文献２】特許第３１９３６１２号公報
【発明の開示】
【発明が解決しようとする課題】
【０００５】
複数の貸出物を重ねてアンテナの上に載置した場合、幾つかの貸出物に設けられたＲＦタグに対するＲＦタグリーダライタによる読み取りが失敗することがある。また、ＲＦタグが故障している場合には、ＲＦタグリーダライタによる読み取りをするこができない。このようにＲＦタグに対する読み取りがなされなかった貸出物に対しては、このままでは、貸出処理や返却処理がなされないという問題がある。そこで、これを防止するために、読み取られたデータの個数と係員が数えた貸出／返却を行う貸出物の個数とを比較して、全ての貸出物のデータが読み取られたかを確認している。
【０００６】
しかしながら、この場合には、係員が貸出／返却対象の貸出物の個数を数えて確認しなければならないので、係員の負担が大きいという問題がある。
【０００７】
特許文献２に記載された自動物品貸出管理システムでは、自動で書籍の貸出を行う技術が開示されている。このシステムでは、書籍の貸出時において、顧客は物品貸出装置に書籍を１冊単位で投入する。これにより、自動貸出装置が書籍の重量又は高さを測定し、さらに、書籍の予め記憶された重量又は高さを書籍に付されたバーコードに基づいて検索し、測定した重量又は高さと比較し、書籍の厚さ又は高さが正常か否かを判断する。これにより、顧客が書籍を２冊以上重ねて投入するなどの不正行為を検出している。この特許文献２に記載のされた技術は、書籍の不正持ち出しの防止を課題としており、これまで述べた本発明が解決しようとする問題を解決するものではない。また、複数の書籍の貸出／返品処理を一括処理することができない。
【０００８】
本発明の目的は、貸出物の貸出／返却業務において、貸出物に設けられたＲＦタグに記憶されている識別情報の読み取りが成功したか否かを、係員に特段の負担をかけることなく行えるようにすることである。
【課題を解決するための手段】
【０００９】
本発明は、載置面に載置された貸出物の重量を測定する秤装置と、前記載置面上の前記貸出物に設けられたＲＦタグに記憶された当該貸出物の識別情報を読み取る無線通信装置と、この無線通信装置によって前記識別情報が読み取られた前記貸出物の重量を各貸出物の重量を予め記憶している記憶部から読み出して、前記貸出物の合計重量を求める重量求め手段と、この重量求め手段が求めた前記貸出物の合計重量と前記秤装置が測定した前記貸出物の合計重量とに基づいて、前記載置面に載置されている前記貸出物に対する前記識別情報の読み取りの成否を判定する判定手段と、この判定手段の判定結果を報知する報知手段と、を備える。
【００１０】
本発明は、載置面に載置された貸出物の重量を測定する秤装置と、前記載置面上の前記貸出物に設けられたＲＦタグに記憶された当該貸出物の識別情報と当該貸出物の重量とを読み取る無線通信装置と、この無線通信装置によって読み取られた重量の合計を求める重量求め手段と、この重量求め手段が求めた前記貸出物の合計重量と前記秤装置が測定した前記貸出物の合計重量とに基づいて、前記載置面に載置されている前記貸出物に対する前記識別情報の読み取りの成否を判定する判定手段と、この判定手段の判定結果を報知する報知手段と、を備える。
【００１１】
本発明は、載置面に載置された貸出物の重量を測定する秤装置と、前記載置面上の前記貸出物に設けられたＲＦタグに記憶された当該貸出物の識別情報を読み取る無線通信装置と、この無線通信装置によって前記識別情報が読み取られた前記貸出物の厚さを各貸出物の厚さを予め記憶している記憶部から読み出して、前記貸出物の合計厚さを求める厚さ求め手段と、この厚さ求め手段が求めた前記貸出物の合計厚さと前記厚さ測定装置が測定した前記貸出物の合計厚さとに基づいて、前記載置面に載置されている前記貸出物に対する前記識別情報の読み取りの成否を判定する判定手段と、この判定手段の判定結果を報知する報知手段と、を備える。
【００１２】
本発明は、載置面に載置された貸出物の厚さを測定する厚さ測定装置と、前記載置面上の前記貸出物に設けられたＲＦタグに記憶された当該貸出物の識別情報と当該貸出物の厚さとを読み取る無線通信装置と、この無線通信装置によって読み取られた厚さの合計を求める厚さ求め手段と、この厚さ求め手段が求めた前記貸出物の合計厚さと前記厚さ測定装置が測定した前記貸出物の合計厚さとに基づいて、前記載置面に載置されている前記貸出物に対する前記識別情報の読み取りの成否を判定する判定手段と、この判定手段の判定結果を報知する報知手段と、を備える。
【発明の効果】
【００１３】
本発明によれば、貸出物の貸出／返却業務において、貸出物に設けられたＲＦタグに記憶されている識別情報の読み取りが成功したか否かを、係員に特段の負担をかけることなく行うことができる。
【発明を実施するための最良の形態】
【００１４】
本発明の第１の実施の形態を図１ないし図７に基づいて説明する。本実施の形態は、図書館で使用される貸出物管理装置への適用例を示す。
【００１５】
図１は本実施の形態の貸出物管理装置１を概略的に示す正面図である。貸出物管理装置１は、図書館内の貸出／返却カウンタ２に設置され、貸出物である書籍１００に設けられたＲＦタグ１０１（図２参照）との間でデータ通信を行って書籍１００の貸出／返却処理を行うものである。このような貸出物管理装置１は、タッチパネル３が表面に設けられた表示器４、秤装置５、ＲＦタグリーダライタ６等から構成されている。
【００１６】
表示器４及びタッチパネル３は、表示器４に表示されるキーイメージ等とタッチパネル３の座標との位置関係の同期をとることによって、キーボードと同様の入力装置としての機能を奏して、操作者の操作を受け付ける。
【００１７】
秤装置５は、載置台７、この載置台７に連結された図示しないロードセルユニットなどから構成されている。載置台７の上面には、貸出物である書籍１００が載置される載置面７ａが形成されている。秤装置５は、載置面７ａに載置された書籍１００の重量をロードセルユニットを用いて計量して出力する。
【００１８】
ＲＦタグリーダライタ６は、載置面７ａに載置された書籍１００に向けてアンテナ８から電磁波を放射して書籍１００に設けられたＲＦタグ１０１に対して情報の読み書き動作を実行する。アンテナ８は、３つ設けられており、１つは載置台７に内蔵され一体化された平置き型アンテナ８ａ、他の２つは秤装置５の両側に設置された縦置き型アンテナ８ｂである。なお、アンテナ８は、３つ全てを設けなくてもよく、ＲＦタグ１０１の種類や書籍１００への取り付け場所によって、適当な位置にアンテナ８を設けてよい。ＲＦタグリーダライタ６のＲＦタグ１０１に対する読み書き方式としては、電磁結合方式、電磁誘導方式、マイクロ波方式等の各種方式を採用可能である。
【００１９】
図２は貸出物管理装置１が備える各部の電気的な接続を示すブロック図である。貸出物管理装置１は、マイクロコンピュータ（以下、マイコンという）１０を備えている。このマイコン１０は、各部の駆動制御や各種演算を行なうＣＰＵ（Central Processing Unit）１１に、バスライン１２を介して、起動プログラム等の固定的データを予め記憶するＲＯＭ（Read Only Memory）１３、各種データを書き換え自在に記憶するワークエリア等として機能するＲＡＭ（Random Access Memory）１４とが接続されて構成されている。マイコン１０には、バスライン１２及びＩ／Ｏ機器制御部１５を介して、前述したタッチパネル３、表示器４、秤装置５、ＲＦタグリーダライタ６とともに、ブザー１６が接続されている。さらに、マイコン１０には、バスライン１２を介してＨＤＤ（Hard Disk Drive）１７が接続されている。ＨＤＤ１７には、マイコン１０を動作させるコンピュータプログラムの他、貸出物管理ファイルＦ１が記憶されている。
【００２０】
図３は貸出物管理ファイルＦ１のファイル構造を模式的に示す説明図である。貸出物管理ファイルＦ１には、書籍１００毎に、書籍１００に関する情報が記憶されている。具体的には、書籍１００を識別する識別情報である書籍番号、書籍名、重量、貸出状態などが記憶されている。
【００２１】
ＨＤＤ１７に記憶されたコンピュータプログラム等は、貸出物管理装置１の起動時にＲＡＭ１４にコピーされ、これによってマイコン１０による各部の駆動制御及び各種演算が可能な状態となる。貸出物管理装置１では、起動されると、マイコン１０が表示器４に図４に示すような業務選択画面Ｇ１を表示させる。業務選択画面Ｇ１には、貸出キー１８や返却キー１９などが表示される。
【００２２】
図５は書籍１００に取り付けられているＲＦタグ１０１を概略的に示すブロック図である。ＲＦタグ１０１は、ＣＰＵ１０２やメモリ部１０３から構成されるＩＣチップ１０４とアンテナ１０５とを備え、ＲＦタグリーダライタ６に対して無線でデータ通信可能に構成されている。メモリ部１０３は、ＥＥＰＲＯＭ（Electrically Erasable Programmable Read Only Memory）などの不揮発性メモリなどから構成され、ＲＦタグ１０１が設けられた書籍１００の書籍番号が記憶されている。なお、書籍番号は、ＲＦタグ１０１に割り当てられたＲＦタグ１０１のＩＤ番号をそのまま用いても良い。ＲＦタグ１０１は、ＲＦタグリーダライタ６から電磁波によって供給される電力によって駆動する無電源型である。
【００２３】
図６は貸出物管理装置１のマイコン１０がコンピュータプログラムに従って実行する貸出物管理処理を示すフローチャートである。貸出管理処理を係員が行う操作とともに説明する。
【００２４】
貸出物管理処理における書籍１００の貸出処理や返却処理を実行させるには、まず、係員は、利用者から貸出や返却対象の書籍１００を受け取り、載置面７ａの上に積み重ねて置く。書籍１００が複数冊の場合には、載置面７ａの上に積み重ねて置く。なお、載置面７ａへの書籍１００の載置は、利用者が行っても良い。そして、貸出の場合には、業務選択画面Ｇ１に表示されている貸出キー１８をタッチする。返却の場合には、返却キー１９をタッチする。
【００２５】
マイコン１０は、貸出キー１８や返却キー１９がタッチされたことをタッチパネル３からの信号入力によって検出した場合には（ステップＳ１のＹ）、タッチされたキーをＲＡＭ１４に記憶させるとともに、秤装置５を駆動して載置面７ａ上に載置された書籍１００の合計重量（以後、実合計重量とも言う）を測定する（ステップＳ２）。測定した実合計重量は、ＲＡＭ１４に記憶させる。
【００２６】
次に、ＲＦタグリーダライタ６を駆動して各書籍１００に設けられているＲＦタグ１０１に対して情報の読み取り動作を実行する（ステップＳ３）。この読み取り動作は、規定時間だけ行われる。そして、ＲＦタグリーダライタ６が読み取った各ＲＦタグ１０１の情報に含まれる書籍１００の書籍番号をＲＡＭ１４に記憶する。
【００２７】
次に、ＲＦタグリーダライタ６によるＲＦタグ１０１に対する読み取りが成功した書籍１００の合計重量（以後、成功合計重量とも言う）を求める（ステップＳ４）。成功合計重量は、各ＲＦタグ１０１から読み取った情報に含まれる書籍番号に対応する書籍１００の重量を貸出物管理ファイルＦ１を検索して取得し、取得した各重量を合計することにより求められる。そして、この成功合計重量をＲＡＭ１４に記憶させる。ここに、ステップＳ４によって、無線通信装置によって識別情報が読み取られた貸出物の重量を各貸出物の重量を予め記憶している記憶部から読み出して、貸出物の合計重量を求める重量求め手段の機能が実行される。
【００２８】
次に、全ての書籍１００のＲＦタグ１０１に対する書籍番号の読み取りが成功したか否かを判定する（ステップＳ５）。具体的には、まず、ステップＳ２で測定しＲＡＭ１４に記憶させた書籍１００の実合計重量と、ステップＳ４で求めＲＡＭ１４に記憶させた書籍１００の成功合計重量とが一致しているか否かを比較する。このとき、実合計重量と成功合計重量との差が予め設定された規定値以内であれば、実合計重量と成功合計重量とは一致しているとみなし、規定値を超えている場合には不一致とみなす。この規定値は、書籍１００の経時変化による書籍１００の重量変化を考慮した値であり、例えば重さや割合（例えば記憶した重量の５％）などで設定できる。そして、全ての書籍１００のＲＦタグ１０１に対するよる読み取りが成功しているならば実合計重量と成功合計重量とが一致する。よって、実合計重量と成功合計重量とが一致した場合には、全ての書籍１００のＲＦタグ１０１に対して読み取りが成功したと判定する。一方、読み取りに失敗したＲＦタグ１０１があるならば実合計重量のほうが成功合計重量よりも重くなり、実合計重量と成功合計重量とが一致しない。よって、実合計重量と成功合計重量とが不一致の場合には、読み取りに失敗したＲＦタグ１０１があると判定する。このとき、実合計重量と成功合計重量との差をＲＡＭ１４に記憶させる。ここに、ステップＳ５によって、重量求め手段が求めた貸出物の合計重量と秤装置５が測定した貸出物の合計重量とに基づいて、載置面７ａに載置されている貸出物に対する識別情報の読み取りの成否を判定する判定手段の機能が実行される。
【００２９】
そして、実合計重量と成功合計重量とが一致し、全ての書籍１００のＲＦタグ１０１に記憶されている書籍番号の読み取りが成功したと判定した場合には（ステップＳ６のＹ）、ブザー１６により成功音を出力して成功を報知し（ステップＳ７）、報知貸出／返却処理を実行する（ステップＳ８）。ステップＳ１において貸出キー１８がタッチされていた場合には、貸出処理を実行し、返却キー１９がタッチされていた場合には、返却処理を実行する。これらの判断は、前述したようにタッチされたキーがＲＡＭ１４に記憶されているので、ＲＡＭ１４を参照することにより可能である。
【００３０】
貸出処理及び返却処理を簡単に説明する。まず、係員は、利用者に利用者カード（図示せず）の提示を求める。利用者カードは、利用者を識別するための利用者番号が記憶されているＲＦタグが設けられたカードであり、図書館が利用者に発行している。係員は、利用者カードをＲＦタグリーダライタ６のアンテナ８に近づける。これによりＲＦタグリーダライタ６によって利用者カードのＲＦタグに記憶されている利用者番号が読み取られる。そして、ステップＳ３で書籍番号を読み取った書籍１００に対して、貸出物管理ファイルＦ１の貸出状態を貸出中にする。これは、貸出物管理ファイルＦ１の貸出状態を記憶するエリアに、利用者番号を記憶させることにより実現される。
【００３１】
返却処理では、ステップＳ３で書籍番号を読み取った書籍１００に対して、貸出物管理ファイルＦ１の貸出状態を返却済み、即ち、貸出可能とする。これは、貸出物管理ファイルＦ１の貸出状態を記憶するエリアに記憶されている利用者番号を消去することにより実現される。
【００３２】
次に、ステップＳ５の判定において、実合計重量と成功合計重量とが不一致であり、書籍番号の読み取りに失敗したＲＦタグ１０１があると判定した場合には（ステップＳ６のＮ）、図７に示すような読取失敗報知画面Ｇ２を表示器４に表示させるとともに、ブザー１６から警告音を出力する（ステップＳ９）。読取失敗報知画面Ｇ２は、ＲＦタグ１０１に記憶された書籍番号の読み取りに失敗した書籍１００が存在する旨を報知する画面であり、書籍番号の読み取りに成功した書籍１００の書籍番号と書籍名が表示されるとともに、実合計重量と成功合計重量との重量差が不一致量として表示される。ここに、ステップＳ７及びＳ９により、判定手段の判定結果を報知する報知手段の機能が実行される。
【００３３】
このように本実施の形態では、書籍１００に設けられたＲＦタグ１０１に記憶されている識別情報の読み取りが成功したか否かが自動的判定され、その判定結果が報知されるので、書籍１００の貸出／返却業務において、書籍１００に設けられたＲＦタグ１０１に記憶されている書籍番号の読み取りが成功したか否かの判定のために、従来のように係員が書籍１００の冊数を数えてその冊数を入力する必要が無いので、係員に特段の負担をかけることがない。
【００３４】
また、本実施の形態では、書籍１００の書籍番号の読み取りチェックをするために書籍１００の重量が用いられていることにより、載置面７ａ上での書籍１００の置き方が測定のために特に限定されることがない。
【００３５】
また、本実施の形態では、書籍１００の重量がＨＤＤ１７にデータベース化されて記憶されているので、書籍１００の重量データの管理が容易である。
【００３６】
また、本実施の形態においては、判定手段は、重量求め手段が求めた貸出物である書籍１００の合計重量と秤装置５が測定した書籍１００の合計重量との差が規定値を超えた場合、識別情報である書籍番号の読み取りに失敗した書籍１００があると判定することにより、経時変化による書籍１００の重量変動を考慮することができる。
【００３７】
なお、本実施の形態においては、記憶部として貸出物管理装置１が備えるＨＤＤ１７を例に説明したが、これに限るものではない。例えば、記憶部は、貸出物管理装置１の外部に設けられたサーバが備える記憶装置などであってもよい。この場合には、貸出物管理装置１にサーバとのデータ通信を可能とする通信装置を設ければよい。
【００３８】
また、本実施の形態においては、貸出物管理処理のステップＳ９における読み取り失敗報知として、表示器４での読取失敗報知画面Ｇ２の表示と、ブザー１６からの警告音の出力との両方を行う例を説明したが、これに限るものではなく、どちらか一方のみであってもよい。
【００３９】
また、本実施の形態においては、無線通信装置としてＲＦタグリーダライタ６の例を説明したが、これに限定されるものではない。無線通信装置としては、ＲＦタグライタであってもよい。
【００４０】
また、本実施の形態においては、図書館で使用される貸出物管理装置１を例に説明したが、これに限るものではない。例えば、貸出物管理装置１としては、貸出物としてＣＤ、ＤＶＤ、ビデオテープなどを扱うレンタル店で使用される貸出物管理装置であってもよい。
【００４１】
次に、本発明の第２の実施の形態を図６に基づいて説明する。なお、前述した実施の形態と同じ部分は同一符号で示し説明も省略する（以降の実施の形態も同様）。
【００４２】
本実施の形態では、第１の実施の形態に対して、書籍１００に設けられたＲＦタグ１０１のメモリ部１０３に書籍１００の重量が記憶されている点と、貸出物管理処理の一部とが異なる。
【００４３】
本実施の形態の貸出物管理処理では、ステップＳ３において、各書籍１００に設けられているＲＦタグ１０１に対するＲＦタグリーダライタ６による情報の読み取り動作によって、書籍１００の書籍番号とともに重量が読み取られ、ＲＡＭ１４に記憶される。そして、ステップＳ４では、ステップＳ３で読み取った重量を合計することによって、ＲＦタグリーダライタ６によるＲＦタグ１０１に対する読み取りが成功した書籍１００の合計重量（成功合計重量）を求める。ここに、ステップＳ４において、無無線通信装置によって読み取られた重量の合計を求める重量求め手段の機能が実行される。これら以外の処理は、第１の実施の形態と同じである。
【００４４】
このような貸出物管理処理によって、本実施の形態においても第１の実施の形態と同様に、書籍１００に設けられたＲＦタグ１０１に記憶されている書籍番号の読み取りが成功したか否かが自動的判定され、その判定結果が報知されるので、書籍の貸出／返却業務において、書籍に設けられたＲＦタグ１０１に記憶されている書籍情報の読み取りが成功したか否かの判定のために、係員に特段の負担をかけることがない。
【００４５】
また、本実施の形態では、書籍の重量が各書籍に設けられたＲＦタグ１０１に記憶されているので、例えば、第１の実施の形態のように貸出物管理装置１のＨＤＤ１７や図示しないサーバに書籍１００の重量をデータベース化する必要が無いので、貸出物管理装置１やサーバの負担が軽減される。
【００４６】
次に、本発明の第３の実施の形態を図８ないし図１１に基づいて説明する。
【００４７】
図８は本実施の形態の貸出物管理装置５１を概略的に示す正面図、図９は貸出物管理装置５１が備える各部の電気的な接続を示すブロック図である。
【００４８】
本実施の形態は、書籍１００に対する識別情報の読み取りの成否の判定に用いる要素として書籍１００の重量に代えて書籍１００の厚さを用いる。このため、本実施の形態の貸出物管理装置５１には、図８及び図９に示すように、秤装置５に代えて、厚さ測定装置５５が設けられている。これに伴い、ＲＦタグリーダライタ６の平置き型アンテナ８ａは、貸出／返却カウンタ２の上に直接配置されている。本実施の形態では、この平置き型アンテナ８ａの上面が載置面８ｃとなる。
【００４９】
厚さ測定装置５５は、発光素子ユニット５６と受光素子ユニット５７とが平置き型アンテナ８ａを間にして貸出／返却カウンタ２の上に対向配置されている。発光素子ユニット５６は、複数の発光素子（図示せず）が縦方向に直線状に並べられて構成されている。発光素子としては、例えば発光ダイオードが用いられる。受光素子ユニット５７は、複数の受光素子（図示せず）が縦方向に直線状に並べて構成されている。受光素子としては、例えば受光トランジスタや受光素子が用いられる。この厚さ測定装置５５では、受光素子ユニット５７の発光素子から受光素子ユニット５７の受光素子に向けて光が出射され、載置面８ｃ上に載置された書籍１００によって光が遮られ光を受光しない受光素子に基づいて書籍１００の厚さが測定される。
【００５０】
図１０は貸出物管理ファイルＦ５１のファイル構造を模式的に示す説明図である。貸出物管理ファイルＦ５１には、貸出物管理ファイルＦ１の書籍１００の重量に代えて書籍１００の厚さが記憶されている。
【００５１】
図１１は貸出物管理処理を示すフローチャートである。貸出物管理処理の基本的な流れは、第１の実施の形態と同様であるが、書籍１００の書籍番号の読み取りチェックをするために書籍１００の重さの代わりに厚さを用いた点が第１の実施の形態に対して異なる。ここで、本実施の形態では、書籍１００の厚さ方向を上下方向にして書籍１００を載置面８ｃ上に積み重ねる。
【００５２】
本実施の形態の貸出物管理処理では、ステップＳ１に続くステップＳ２に代えてステップＳ２２を実行する。ステップ２２では、厚さ測定装置５５を駆動して載置面８ｃ上に載置された書籍１００の合計厚さ（以後、実合計厚さとも言う）を測定する。測定した実合計厚さは、ＲＡＭ１４に記憶させる。
【００５３】
そして、ステップＳ３に続くステップＳ４に代えてステップＳ２４を実行する。ステップＳ２４では、ＲＦタグリーダライタ６によるＲＦタグ１０１に対する読み取りが成功した書籍１００の合計厚さ（以後、成功合計厚さとも言う）を求める。成功合計厚さは、ステップＳ３でＲＦタグリーダライタ６が各ＲＦタグ１０１から読み取った情報に含まれる書籍番号に対応する書籍１００の厚さを貸出物管理ファイルＦ５１を検索して取得し、取得した各厚さを合計することにより求められる。求めた成功合計厚さは、ＲＡＭ１４に記憶させる。ここに、ステップＳ２４によって、無線通信装置によって識別情報が読み取られた貸出物の厚さを各貸出物の厚さを予め記憶している記憶部から読み出して、貸出物の合計厚さを求める厚さ求め手段の機能が実行される。
【００５４】
そして、全ての書籍１００のＲＦタグ１０１に対する書籍番号の読み取りが成功したか否かを判定する（ステップＳ２５）。判定方法は、基本的にはステップＳ５で説明した重さの場合と同様であり、まず、ステップＳ２２で測定した書籍１００の実合計厚さと、ステップＳ２４で求めた書籍１００の成功合計厚さとが一致しているか否か比較する。このとき、実合計厚さと成功合計厚さとの差が予め設定された規定値以内であれば、実合計厚さと成功合計厚さとは一致しているとみなし、規定値を超えている場合には不一致とみなす。この規定値は、書籍１００の経時変化による書籍１００の厚さ変化を考慮した値であり、例えば厚さや割合（例えば記憶した厚さの５％）などで設定できる。そして、全ての書籍１００のＲＦタグ１０１に対するよる読み取りが成功しているならば実合計厚さと成功合計厚さとが一致する。よって、実合計厚さと成功合計厚さとが一致した場合には、全ての書籍１００のＲＦタグ１０１に対して読み取りが成功したと判定する。一方、読み取りに失敗したＲＦタグ１０１があるならば実合計厚さのほうが成功合計厚さよりも厚くなり、実合計厚さと成功合計厚さとが一致しない。よって、実合計厚さと成功合計厚さとが不一致の場合には、読み取りに失敗したＲＦタグ１０１があると判定する。このとき、実合計厚さと成功合計厚さとの差をＲＡＭ１４に記憶させる。ここに、ステップＳ２５によって、厚さ求め手段が求めた貸出物の合計厚さと厚さ測定装置５５が測定した貸出物の合計厚さとに基づいて、載置面８ｃに載置されている貸出物に対する識別情報の読み取りの成否を判定する判定手段の機能が実行される。
【００５５】
そして、ステップＳ６以降の処理を実行する。なお、読み取りに失敗したＲＦタグ１０１があると判定した場合（ステップＳ６のＮ）に、ステップＳ９で表示器４に表示させる読取失敗報知画面Ｇ２に表示される不一致量は、実合計厚さと成功合計厚さとの差が表示される。
【００５６】
このような構成によって、本実施の形態においても第１の実施の形態と同様に、書籍１００に設けられたＲＦタグ１０１に記憶されている書籍番号の読み取りが成功したか否かが自動的判定され、その判定結果が報知されるので、書籍１００の貸出／返却業務において、書籍に設けられたＲＦタグ１０１に記憶されている書籍番号の読み取りが成功したか否かの判定のために、係員に特段の負担をかけることがない。
【００５７】
また、本実施の形態では、書籍１００の書籍番号の読み取りチェックをするために書籍１００の厚さが用いられていることにより、湿度による変化が重量に比べて少ない。
【００５８】
また、本実施の形態においては、判定手段は、厚さ求め手段が求めた貸出物である書籍１００の合計厚さと厚さ測定装置５５が測定した書籍１００の合計厚さとの差が規定値を超えた場合、識別情報である書籍番号の読み取りに失敗した書籍１００があると判定することにより、経時変化による書籍１００の厚さ変動を考慮することができる。
【００５９】
次に、本発明の第４の実施の形態を図１１に基づいて説明する。
【００６０】
本実施の形態では、第３の実施の形態に対して、書籍１００に設けられたＲＦタグ１０１のメモリ部１０３に書籍１００の厚さが記憶されている点と、貸出物管理処理の一部とが異なる。
【００６１】
本実施の形態の貸出物管理処理では、ステップＳ３において、ＲＦタグリーダライタ６による各書籍１００に設けられているＲＦタグ１０１に対する読み取り動作によって、書籍１００の書籍番号とともに重量が読み取られ、ＲＡＭ１４に記憶される。そして、ステップＳ２４では、ステップＳ３で読み取った厚さを合計することにより、ＲＦタグリーダライタ６によるＲＦタグ１０１に対する読み取りが成功した書籍１００の合計厚さ（成功合計厚さ）を求める。ここに、ステップＳ２４によって、無線通信装置によって読み取られた厚さの合計を求める厚さ求め手段の機能が実行される。これら以外の処理は、第３の実施の形態と同じである。
【００６２】
このような貸出物管理処理によって、本実施の形態においても第３の実施の形態と同様に、書籍１００に設けられたＲＦタグ１０１に記憶されている書籍番号の読み取りが成功したか否かが自動的判定され、その判定結果が報知されるので、書籍１００の貸出／返却業務において、書籍１００に設けられたＲＦタグ１０１に記憶されている書籍番号の読み取りが成功したか否かの判定のために、係員に特段の負担をかけることがない。
【００６３】
また、本実施の形態では、第２の実施の形態と同様に書籍１００の重量が各書籍に設けられたＲＦタグ１０１に記憶されているので、例えば、貸出物管理装置５１のＨＤＤ１７や図示しないサーバに貸出物の重量をデータベース化する必要が無いので、貸出物管理装置５１やサーバの負担が軽減される。
【図面の簡単な説明】
【００６４】
【図１】本発明の第１の実施の形態の貸出物管理装置を概略的に示す正面図である。
【図２】貸出物管理装置が備える各部の電気的な接続を示すブロック図である。
【図３】貸出物管理ファイルのファイル構造を模式的に示す説明図である。
【図４】業務選択画面を示す正面図である。
【図５】ＲＦタグを概略的に示すブロック図である。
【図６】貸出物管理処理を示すフローチャートである。
【図７】読取失敗報知画面を示す正面図である。
【図８】本発明の第４の実施の形態の貸出物管理装置を概略的に示す正面図である。
【図９】貸出物管理装置が備える各部の電気的な接続を示すブロック図である。
【図１０】貸出物管理ファイルのファイル構造を模式的に示す説明図である。
【図１１】貸出物管理処理を示すフローチャートである。
【符号の説明】
【００６５】
１…貸出物管理装置、５…秤装置、６…ＲＦタグリーダライタ（無線通信装置）、７ａ…載置面、８ｃ…載置面、５１…貸出物管理装置、５５…厚さ測定装置、１００…書籍（貸出物）、１０１…ＲＦタグ、ステップＳ４…重量求め手段、ステップＳ５…判定手段、ステップＳ７,Ｓ９…報知手段、ステップＳ２４…厚さ求め手段、ステップＳ２５…判定手段
【図１】
2006027748.tif 000003
【図２】
2006027748.tif 000004
【図３】
2006027748.tif 000005
【図４】
2006027748.tif 000006
【図５】
2006027748.tif 000007
【図６】
2006027748.tif 000008
【図７】
2006027748.tif 000009
【図８】
2006027748.tif 000010
【図９】
2006027748.tif 000011
【図１０】
2006027748.tif 000012
【図１１】
2006027748.tif 000013